(57)【要約】【課題】回路規模の増大を抑えながら、バースト信号の周波数誤差を補正する。【解決手段】周波数補正回路１０を構成する信号選択部１００は、無線信号ＳＧ１を受信する度毎に、無線信号ＳＧ１をその周波数誤差を補正するための複数の周波数オフセット２＿１〜２＿Ｎをそれぞれ用いて復調する。信号選択部１００は、前記復調により得た複数の復調信号ＳＧ４＿１〜ＳＧ４＿Ｎの中から一の復調信号ＳＧ５を選択する。また、周波数オフセット決定部２００は、前記一の復調信号ＳＧ５に対応する周波数オフセット５の統計情報に基づき、前記復調に用いる周波数オフセット２＿１〜２＿Ｎを決定する。【選択図】図１
2010183407.tif 000002
【特許請求の範囲】
【請求項１】
無線信号を受信する度毎に、前記無線信号をその周波数誤差を補正するための複数の周波数オフセットをそれぞれ用いて復調すると共に、前記復調により得た複数の復調信号の中から一の復調信号を選択する選択部と、
前記一の復調信号に対応する周波数オフセットの統計情報に基づき、前記復調に用いる周波数オフセットを決定する決定部と、
を備えた周波数補正回路。
【請求項２】
請求項１において、
前記決定部が、一定時間内における前記一の復調信号に対応する周波数オフセットの発生頻度を統計すると共に、前記発生頻度の高い周波数オフセットから順に、前記復調に用いる周波数オフセットの候補として選択することを特徴とした周波数補正回路。
【請求項３】
請求項２において、
前記決定部が、前記発生頻度が予め定めた閾値を超える周波数オフセットを、前記復調に用いる周波数オフセットの候補とすることを特徴した周波数補正回路。
【請求項４】
請求項３において、
前記決定部が、前記発生頻度が前記閾値を超える周波数オフセットの符号反転値を、前記復調に用いる周波数オフセットの候補に含めることを特徴とした周波数補正回路。
【請求項５】
請求項１において、
前記選択部が、前記無線信号をそれぞれ復調する複数の復調部を含み、
前記決定部が、一定時間内における前記一の復調信号に対応する周波数オフセットの発生頻度を、前記復調部で復調可能な周波数帯域を前記復調部の数で区分けした帯域区間毎に統計すると共に、前記発生頻度の高い帯域区間の中心周波数から順に、前記復調に用いる周波数オフセットの候補として前記復調部の数未満の数だけ選択することを特徴とした周波数補正回路。
【請求項６】
請求項５において、
前記決定部が、前記発生頻度が予め定めた閾値を超える帯域区間の中心周波数を、前記復調に用いる周波数オフセットの候補とすることを特徴した周波数補正回路。
【請求項７】
請求項６において、
前記決定部が、前記発生頻度が前記閾値を超える帯域区間の中心周波数の符号反転値を、前記復調に用いる周波数オフセットの候補に含めることを特徴とした周波数補正回路。
【請求項８】
請求項３、４、６、又は７において、
前記決定部が、前記閾値を、前記無線信号のトラヒック量に応じて設定することを特徴とした周波数補正回路。
【請求項９】
請求項１〜８のいずれか一項において、
前記決定部が、前記復調に用いる周波数オフセットの候補に、値を零に設定した周波数オフセットを含めることを特徴とした周波数補正回路。
【請求項１０】
無線信号を受信する度毎に、前記無線信号をその周波数誤差を補正するための複数の周波数オフセットをそれぞれ用いて復調すると共に、前記復調により得た複数の復調信号の中から一の復調信号を選択し、前記一の復調信号に対応する周波数オフセットの統計情報に基づき、前記復調に用いる周波数オフセットを決定する周波数補正回路と、
前記一の復調信号を処理する信号処理回路と、
を備えた受信装置。
【請求項１１】
受信装置における周波数補正方法であって、
無線信号を受信する度毎に、前記無線信号をその周波数誤差を補正するための複数の周波数オフセットをそれぞれ用いて復調すると共に、前記復調により得た複数の復調信号の中から一の復調信号を選択し、
前記一の復調信号に対応する周波数オフセットの統計情報に基づき、前記復調に用いる周波数オフセットを決定する周波数補正方法。
【請求項１２】
請求項１１において、
一定時間内における前記一の復調信号に対応する周波数オフセットの発生頻度を統計すると共に、前記発生頻度の高い周波数オフセットから順に、前記復調に用いる周波数オフセットの候補として選択することを特徴とした周波数補正方法。
【請求項１３】
請求項１２において、
前記発生頻度が予め定めた閾値を超える周波数オフセットを、前記復調に用いる周波数オフセットの候補とすることを特徴した周波数補正方法。
【請求項１４】
請求項１３において、
前記発生頻度が前記閾値を超える周波数オフセットの符号反転値を、前記復調に用いる周波数オフセットの候補に含めることを特徴とした周波数補正方法。
【請求項１５】
請求項１１において、
一定時間内における前記一の復調信号に対応する周波数オフセットの発生頻度を、前記復調に用いる複数の復調回路で復調可能な周波数帯域を前記復調回路の数で区分けした帯域区間毎に統計すると共に、前記発生頻度の高い帯域区間の中心周波数から順に、前記復調に用いる周波数オフセットの候補として前記復調回路の数未満の数だけ選択することを特徴とした周波数補正方法。
【請求項１６】
請求項１５において、
前記発生頻度が予め定めた閾値を超える帯域区間の中心周波数を、前記復調に用いる周波数オフセットの候補とすることを特徴した周波数補正方法。
【請求項１７】
請求項１６において、
前記発生頻度が前記閾値を超える帯域区間の中心周波数の符号反転値を、前記復調に用いる周波数オフセットの候補に含めることを特徴とした周波数補正方法。
【請求項１８】
請求項１３、１４、１６、又は１７において、
前記閾値を、前記無線信号のトラヒック量に応じて設定することを特徴とした周波数補正方法。
【請求項１９】
請求項１１〜１８のいずれか一項において、
前記復調に用いる周波数オフセットの候補に、値を零に設定した周波数オフセットを含めることを特徴とした周波数補正方法。
【請求項２０】
受信装置に、
無線信号を受信する度毎に、前記無線信号をその周波数誤差を補正するための複数の周波数オフセットをそれぞれ用いて復調すると共に、前記復調により得た複数の復調信号の中から一の復調信号を選択する処理と、
前記一の復調信号に対応する周波数オフセットの統計情報に基づき、前記復調に用いる周波数オフセットを決定する処理と、
を実行させるための周波数補正プログラム。
【発明の詳細な説明】
【技術分野】
【０００１】
本発明は、周波数補正回路、受信装置、並びに周波数補正方法及びプログラムに関し、特に無線信号に生じた周波数誤差を補正する技術に関する。
【背景技術】
【０００２】
セルラ移動通信システム等において、基地局及び移動端末は、無線伝送チャネルを介して通信を行う。基地局が複数の移動端末と同時に通信するための多重アクセス方式として、周波数分割多重アクセス(ＦＤＭＡ：Ｆｒｅｑｕｅｎｃｙ Ｄｉｖｉｓｉｏｎ Ｍｕｌｔｉｐｌｅ Ａｃｃｅｓｓ)、時分割多重アクセス(ＴＤＭＡ：Ｔｉｍｅ Ｄｉｖｉｓｉｏｎ Ｍｕｌｔｉｐｌｅ Ａｃｃｅｓｓ)、符号分割多重アクセス(ＣＤＭＡ：Ｃｏｄｅ Ｄｉｖｉｓｉｏｎ Ｍｕｌｔｉｐｌｅ Ａｃｃｅｓｓ)等が実用化されている。
【０００３】
基地局及び移動端末がそれぞれ受信した無線信号には、基地局−移動端末間の固定的な周波数ズレ等に因る周波数誤差が存在し得る。この場合、通常は、基地局及び移動端末の各々が、ＡＦＣ(Ａｕｔｏ Ｆｒｅｑｕｅｎｃｙ Ｃｏｎｔｒｏｌ)による周波数誤差の補正動作を行う。
【０００４】
ＡＦＣによる補正動作には、受信信号を復調して周波数誤差を検出すると共に、受信回路内の局部発信器の周波数を制御する方法や、受信信号に付与する周波数オフセットを制御する方法のようなループ制御が主に用いられる。
【０００５】
また、移動端末の移動に伴って生じるドップラーシフトに因る周波数誤差に対しては、通常、チャネル推定による補正動作が行われる。
【０００６】
一方、特許文献１には、バースト通信のようにＡＦＣ及びチャネル推定による補正動作の適用が困難な通信方式に対処する周波数補正回路が記載されている。図５に、この周波数補正回路の構成を示す。
【０００７】
図５に示す周波数補正回路１０ｚは、アンテナ１１０と、無線受信部１２０と、Ｍ個の周波数オフセット付与部１３０＿１〜１３０＿Ｍ(以下、符号１３０で総称することがある)と、Ｍ個の復調部１４０＿１〜１４０＿Ｍ(以下、符号１４０で総称することがある)と、復調信号選択部１５０と、周波数オフセット出力部１６０とを備えている。
【０００８】
この内、無線受信部１２０は、アンテナ１１０で受信された無線信号ＳＧ１に対して増幅、無線帯域から基底帯域(ベースバンド)への周波数変換、直交検波等の処理を施し、以てデジタル信号ＳＧ２を得る。
【０００９】
また、周波数オフセット付与部１３０＿１〜１３０＿Ｍは、無線受信部１２０から出力されたデジタル信号ＳＧ２に対して、周波数オフセット出力部１６０から入力されたＭ個の周波数オフセット２＿１〜２＿Ｍをそれぞれ付与する。ここで、周波数オフセット２＿１〜２＿Ｍには、周波数誤差が発生し得る帯域を網羅する固定値が設定されている。また、周波数オフセットの付与とは、デジタル信号ＳＧ２中の各シンボルに対して、当該周波数オフセットに対応する位相回転処理を施すことである。そして、周波数オフセット付与部１３０＿１〜１３０＿Ｍは、周波数オフセット２＿１〜２＿Ｍを付与して得た信号(以下、オフセット付与信号と呼称する)ＳＧ３＿１〜ＳＧ３＿Ｍを復調部１４０＿１〜１４０＿Ｍにそれぞれ与える。
【００１０】
また、復調部１４０＿１〜１４０＿Ｍは、オフセット付与信号ＳＧ３＿１〜ＳＧ３＿Ｍをそれぞれ復調し、これにより得た復調信号ＳＧ４＿１〜ＳＧ４＿Ｍを復調信号選択部１５０に与える。
【００１１】
また、復調信号選択部１５０は、復調信号ＳＧ４＿１〜ＳＧ４＿Ｍの中から選択した最適な復調信号(以下、最適復調信号と呼称する)ＳＧ５を後段へ出力する。
【先行技術文献】
【特許文献】
【００１２】
【特許文献１】特開平７−１７６９９４号公報
【特許文献２】特開２００８−２６３４２６号公報
【発明の概要】
【発明が解決しようとする課題】
【００１３】
しかしながら、上記の特許文献１には、バースト信号の周波数誤差を精度良く補正する場合に回路規模が増大してしまうという課題があった。これは、上記の周波数オフセット付与部及び復調部を、間隔を十分小さくし且つ周波数誤差が発生し得る帯域を網羅するように値を設定した周波数オフセットの数に対応する膨大な数分だけ設置しなければならないためである。
【００１４】
なお、特許文献２には、上記の周波数補正回路１０ｚの構成に加え、互いに隣接する復調部から出力された復調信号を合成し、これにより得た合成信号を復調信号選択部に対して出力する信号合成部をさらに設けた周波数補正回路が記載されている。しかしながら、この周波数補正回路では、回路規模の十分な低減効果が得られない。これは、周波数オフセット付与部及び復調部の数を削減できる代わりに、多数の信号合成部を新たに追設する必要があるためである。
【００１５】
従って、本発明は、回路規模の増大を抑えながら、バースト信号の周波数誤差を補正することが可能な周波数補正回路、受信装置、並びに周波数補正方法及びプログラムを提供することを目的とする。
【課題を解決するための手段】
【００１６】
上記の目的を達成するため、本発明の一態様に係る周波数補正回路は、無線信号を受信する度毎に、前記無線信号をその周波数誤差を補正するための複数の周波数オフセットをそれぞれ用いて復調すると共に、前記復調により得た複数の復調信号の中から一の復調信号を選択する選択部と、前記一の復調信号に対応する周波数オフセットの統計情報に基づき、前記復調に用いる周波数オフセットを決定する決定部とを備える。
【００１７】
また、本発明の一態様に係る受信装置は、無線信号を受信する度毎に、前記無線信号をその周波数誤差を補正するための複数の周波数オフセットをそれぞれ用いて復調すると共に、前記復調により得た複数の復調信号の中から一の復調信号を選択し、前記一の復調信号に対応する周波数オフセットの統計情報に基づき、前記復調に用いる周波数オフセットを決定する周波数補正回路と、前記一の復調信号を処理する信号処理回路とを備える。
【００１８】
また、本発明の一態様に係る周波数補正方法は、受信装置における周波数補正方法を提供する。この周波数補正方法は、無線信号を受信する度毎に、前記無線信号をその周波数誤差を補正するための複数の周波数オフセットをそれぞれ用いて復調すると共に、前記復調により得た複数の復調信号の中から一の復調信号を選択し、前記一の復調信号に対応する周波数オフセットの統計情報に基づき、前記復調に用いる周波数オフセットを決定する。
【００１９】
さらに、本発明の一態様に係る周波数補正プログラムは、受信装置に、無線信号を受信する度毎に、前記無線信号をその周波数誤差を補正するための複数の周波数オフセットをそれぞれ用いて復調すると共に、前記復調により得た複数の復調信号の中から一の復調信号を選択する処理と、前記一の復調信号に対応する周波数オフセットの統計情報に基づき、前記復調に用いる周波数オフセットを決定する処理とを実行させる。
【発明の効果】
【００２０】
本発明では、バースト信号に生じた周波数誤差の補正に際し、最適な復調信号に対応する周波数オフセットの統計情報に基づいて、復調に用いるべき少数の周波数オフセットを局所的且つ動的に割り当てる。このため、上述した、周波数誤差が発生し得る帯域を網羅する周波数オフセットの数に相当する回路リソースは不要である。従って、周波数補正回路の規模を大幅に低減することが可能である。
【図面の簡単な説明】
【００２１】
【図１】本発明に係る周波数補正回路の実施の形態の構成例を示したブロック図である。
【図２】本発明に係る周波数補正回路の実施の形態の一の動作例を示したフローチャート図である。
【図３】送信装置又は受信装置の移動に伴って発生するドップラーシフト周波数の特性例を示したグラフ図である。
【図４】本発明に係る周波数補正回路の実施の形態の他の動作例を示したフローチャート図である。
【図５】一般的な周波数補正回路の構成例を示したブロック図である。
【発明を実施するための形態】
【００２２】
以下、本発明に係る周波数補正回路及びこれを実装する受信装置の実施の形態を、図１〜図４を参照して説明する。なお、各図面において、同一要素には同一の符号が付されており、説明の明確化のため、必要に応じて重複説明は省略される。
【００２３】
図１に示す本実施の形態に係る受信装置１は、無線信号ＳＧ１を受信する度毎に、無線信号ＳＧ１の周波数誤差を補正して復調する周波数補正回路１０と、この回路１０から出力された最適復調信号ＳＧ５を処理する信号処理回路２０とで構成される。この受信装置１は、基地局及び移動端末のいずれにも適用可能である。
【００２４】
また、周波数補正回路１０は、信号選択部１００と、周波数オフセット決定部２００とを備えている。この内、信号選択部１００は、図５と同様のアンテナ１１０、無線受信部１２０、周波数オフセット付与部１３０、復調部１４０、及び復調信号選択部１５０を有している。但し、周波数オフセット付与部１３０及び復調部１４０各々の設置数"Ｎ"は、後述する如く、図５に示した設置数"Ｍ"より遥かに小さい数とすることができる。
【００２５】
一方、周波数オフセット決定部２００は、復調信号選択部１５０から取得した、最適復調信号ＳＧ５に対応する周波数オフセット(以下、対応周波数オフセットと呼称する)５を統計し、その統計情報に基づき周波数オフセット付与部１３０＿１〜１３０＿Ｎに与える周波数オフセット２＿１〜２＿Ｎ(以下、符号２で総称することがある)を決定する。
【００２６】
次に、周波数オフセット決定部２００による周波数オフセット２の決定処理例(１)及び(２)を、図２〜図４を参照して順に説明する。なお、信号選択部１００(アンテナ１１０、無線受信部１２０、周波数オフセット付与部１３０、復調部１４０、及び復調信号選択部１５０)の動作は図５と同様であるため、その説明を省略する。
【００２７】
[周波数オフセット決定処理例(１)]
図２に示すように、周波数オフセット決定部２００は、復調信号選択部１５０により最適復調信号ＳＧ５が出力される度毎に、対応周波数オフセット５を取得する(ステップＳ１)。
【００２８】
そして、一定時間が経過すると(ステップＳ２)、周波数オフセット決定部２００は、上記の統計情報として、対応周波数オフセット５の発生頻度Ｆｏを集計する(ステップＳ３)と共に、発生頻度Ｆｏの高い順(降順)に対応周波数オフセット５をソートする(ステップＳ４)。
【００２９】
今、"ｉ"組の発生頻度Ｆｏ[ｉ]及び対応周波数オフセット５[ｉ]が得られたとすると、周波数オフセット決定部２００は、発生頻度が最も高いＦｏ[０]から順に所定の閾値Ｔｈと比較する(ステップＳ５)。ここで、閾値Ｔｈは、固定値に設定しても良いし、無線信号ＳＧ１のトラヒック量に応じて動的に設定しても良い。後者の場合、周波数オフセット２をより適切に決定することができる。
【００３０】
上記のステップＳ５でＦｏ[ｉ]＞閾値Ｔｈが成立した場合、周波数オフセット決定部２００は、対応周波数オフセット５[ｉ]を周波数オフセット２の候補として選択する(ステップＳ６)。
【００３１】
また、周波数オフセット決定部２００は、対応周波数オフセット５[ｉ]の符号反転値を周波数オフセット２の候補として選択する(ステップＳ７)。これは、受信装置１又は送信装置(図示せず)の移動に伴って生じるドップラーシフトに因る周波数誤差に備えるためである。より具体的には、図３に示す如くドップラーシフト周波数Ｆｄは、送信装置−受信装置間の距離Ｄｔｒに応じて、"＋Ｆ０[Ｈｚ]"から"−Ｆ０[Ｈｚ]"の間を遷移する。すなわち、送信装置が受信装置１付近を相対的に通過する前後で、周波数誤差の符号が反転する。従って、周波数オフセット決定部２００は、或る時点で選択した対応周波数オフセット５[ｉ]の符号反転値を、周波数オフセット２の候補に含める。
【００３２】
なお、送信装置及び受信装置１のいずれも移動しない場合(すなわち、距離Ｄｔｒ＝"０[ｍ]"が成立し、ドップラーシフトに因る周波数誤差が生じない場合)に対処するため、周波数オフセット決定部２００は、値を"０[Ｈｚ]"に設定した周波数オフセットを周波数オフセット２の候補に含めても良い。
【００３３】
そして、周波数オフセット決定部２００は、上記のステップＳ６及びＳ７で選択した周波数オフセット２の候補数が、図１に示した復調部１４０の設置数"Ｎ"に到達したか否かを判定する。当該候補数が"Ｎ"に到達していない場合、周波数オフセット決定部２００は、発生頻度がＦｏ[ｉ]の次に高いＦ[ｉ＋１]について、上記のステップＳ５〜Ｓ７を再び実行する(ステップＳ９)。
【００３４】
一方、周波数オフセット２の候補数＝"Ｎ"が成立した場合、周波数オフセット決定部２００は、選択したＮ個の周波数オフセット２＿１〜２＿Ｎを、周波数オフセット付与部１３０＿１〜１３０＿Ｎへそれぞれ通知する(ステップＳ１０)。これにより、周波数オフセット付与部１３０＿１〜１３０＿Ｎによるオフセット付与信号ＳＧ３＿１〜ＳＧ３_Ｎの生成処理、復調部１４０＿１〜１４０＿Ｎによる復調信号ＳＧ４＿１〜ＳＧ４＿Ｎの生成処理、及び復調信号選択部１５０による最適復調信号ＳＧ５の選択処理が実行されることとなる。なお、上記のステップＳ５でＦｏ[ｉ]≦閾値Ｔｈが成立した場合(すなわち、発生頻度Ｆｏが十分に高い対応周波数オフセット５が、その符号反転値を含めても復調部１４０の設置数"Ｎ"分得られない場合)、周波数オフセット決定部２００は、上記のステップＳ１に戻って、対応周波数オフセット５を追加取得する。
【００３５】
以降、周波数オフセット決定部２００は、上記のステップＳ１〜Ｓ１０を繰り返し実行し、以て周波数オフセット２＿１〜２＿Ｎを動的に割り当てる。
【００３６】
このように、本処理例においては、最適復調信号に対応する周波数オフセットの内、その発生頻度の高い一部の周波数オフセットを用いて、バースト信号の周波数誤差を精度良く補正することができる。このため、周波数オフセット付与部１３０及び復調部１４０各々の設置数"Ｎ"を、図５に示した設置数"Ｍ"と比較して大幅に削減できる。
【００３７】
[周波数オフセット決定処理例(２)]
本処理例は、図４に示すように、図２に示したステップＳ３、Ｓ４、及びＳ６〜Ｓ８に代えて、ステップＳ１１、Ｓ１２、及びＳ１３〜Ｓ１５を実行する点が、上記の処理例(１)と異なる。
【００３８】
より具体的には、周波数オフセット決定部２００は、上記のステップＳ１及びＳ２で一定時間に亘って復調信号選択部１５０から取得した対応周波数オフセット５の発生頻度Ｆｏを、下記の式(１)に示す如く、復調部１４０で復調可能な周波数帯域"−Ｆｍａｘ"〜"＋Ｆｍａｘ"を復調部１４０の設置数"Ｎ"で区分けした帯域区間Ｆｓ毎に集計する(ステップＳ１１)。
【００３９】
Ｆｓ ＝ ２＊Ｆｍａｘ／Ｎ        …式(１)
【００４０】
そして、周波数オフセット決定部２００は、発生頻度Ｆｏの高い順(降順)に帯域区間Ｆｓをソートする(ステップＳ１２)。この後、周波数オフセット決定部２００は、上記のステップＳ５に進んで、上記の処理例(１)と同様に発生頻度が最も高いＦｏ[０]から順に閾値Ｔｈと比較する。
【００４１】
この結果、Ｆｏ[ｉ]＞閾値Ｔｈが成立した場合、周波数オフセット決定部２００は、帯域区間Ｆｓ[ｉ]の中心周波数を周波数オフセット２の候補として選択する(ステップＳ１３)。
【００４２】
また、周波数オフセット決定部２００は、当該中心周波数の符号反転値を周波数オフセット２の候補として選択する(ステップＳ１４)。これは、上記の処理例(１)で示した通り、ドップラーシフトに因る周波数誤差に備えるためである。なお、周波数オフセット決定部２００は、上記の処理例(１)と同様、値を"０[Ｈｚ]"に設定した周波数オフセットを周波数オフセット２の候補に含めても良い。
【００４３】
そして、周波数オフセット決定部２００は、上記のステップＳ１３及びＳ１４で選択した周波数オフセット２の候補数が、所定の数"Ｘ"(但し、"Ｘ"は復調部１４０の設置数"Ｎ"未満の数とする)に到達したか否かを判定する(ステップＳ１５)。当該候補数が"Ｘ"に到達していない場合、周波数オフセット決定部２００は、上記のステップＳ９に進んで、発生頻度がＦｏ[ｉ]の次に高いＦ[ｉ＋１]について上記のステップＳ５、Ｓ１３、及びＳ１４を再び実行する。
【００４４】
一方、周波数オフセット２の候補数＝"Ｘ"が成立した場合、周波数オフセット決定部２００は、上記のステップＳ１０に進んで、選択したＸ個の周波数オフセット２＿１〜２＿Ｘを、互いに異なる周波数オフセット付与部１３０へそれぞれ通知する。以降、周波数オフセット決定部２００は、上記のステップＳ１、Ｓ２、Ｓ５、Ｓ９、Ｓ１０、及びＳ１１〜Ｓ１５を繰り返し実行し、以て周波数オフセット２＿１〜２＿Ｘを動的に割り当てる。なお、上記のステップＳ５でＦｏ[ｉ]≦閾値Ｔｈが成立した場合(すなわち、発生頻度Ｆｏが十分に高い対応周波数オフセット５が、その符号反転値を含めても"Ｘ"個分得られない場合)、周波数オフセット決定部２００は、上記のステップＳ１に戻って、対応周波数オフセット５を追加取得する。
【００４５】
このように、本処理例においては、最適復調信号に対応する周波数オフセットが属する帯域区間の内、その発生頻度の高い一部の帯域区間の中心周波数を周波数オフセットとして用いて、バースト信号の周波数誤差を精度良く補正することができる。このため、上記の処理例(１)と同様の回路規模の低減効果が得られる。また、一部の周波数オフセット付与部及び復調部を動作させる必要が無いため、周波数補正回路１の消費電力を低減できるという効果も得られる。
【００４６】
なお、上記の実施の形態によって本発明は限定されるものではなく、特許請求の範囲の記載に基づき、当業者によって種々の変更が可能なことは明らかである。例えば、上記の実施の形態に示した周波数補正回路の各処理を、受信装置に実行させるためのプログラム(例えば、既存の周波数補正回路に組み込まれたファームウェアへのプラグイン)として提供することもできる。
【符号の説明】
【００４７】
１  受信装置
２, ２＿１〜２＿Ｎ  周波数オフセット
５  対応周波数オフセット
１０  周波数補正回路
２０  信号処理回路
１００  信号選択部
１１０  アンテナ
１２０  無線受信部
１３０, １３０＿１〜１３０＿Ｎ  周波数オフセット付与部
１４０, １４０＿１〜１４０＿Ｎ  復調部
１５０  復調信号選択部
２００  周波数オフセット決定部
ＳＧ１  無線信号
ＳＧ２  デジタル信号
ＳＧ３＿１〜ＳＧ３＿Ｎ  オフセット付与信号
ＳＧ４＿１〜ＳＧ４＿Ｎ  復調信号
ＳＧ５  最適復調信号
Ｆｏ  発生頻度
Ｆｓ  帯域区間
Ｔｈ  閾値
【図１】
2010183407.tif 000003
【図２】
2010183407.tif 000004
【図３】
2010183407.tif 000005
【図４】
2010183407.tif 000006
【図５】
2010183407.tif 000007